(57)【要約】【課題】非個別的なコンテンツを個人に特化適合した形で編集して提供する。【解決手段】コンテンツに付随し、付随する付加情報（１４）と、動的に変化する情報も含む視聴者の個人情報（２４）とのマッチングに基づいてコンテンツを編集する。【選択図】      図１
2005086542.tif 000002
【特許請求の範囲】
【請求項１】
コンテンツデータと付加情報とからなる知的コンテンツを受信する手段と、
視聴者の個人情報と前記受信コンテンツの付加情報とに応じて前記受信コンテンツを編集する手段と、
を具備するコンテンツ編集装置。
【請求項２】
前記視聴者の個人情報は時刻に応じて変化する情報を具備する請求項１記載のコンテンツ編集装置。
【請求項３】
前記編集手段は複数の視聴者の個人情報に基づいて編集を行う請求項１記載のコンテンツ編集装置。
【請求項４】
前記編集手段は前記視聴者の個人情報と前記受信コンテンツの付加情報に加えて視聴者の位置情報に応じて前記受信コンテンツを編集する請求項１記載のコンテンツ編集装置。
【請求項５】
前記編集手段は前記視聴者の個人情報と前記受信コンテンツの付加情報に加えて現在時刻に応じて前記受信コンテンツを編集する請求項１記載のコンテンツ編集装置。
【請求項６】
前記編集手段は前記視聴者の個人情報と前記受信コンテンツの付加情報とに応じて前記受信コンテンツの付加情報を書き変える手段と、付加情報に応じてコンテンツの再生を制御する手段とを具備する請求項１記載のコンテンツ編集装置。
【請求項７】
前記受信手段は複数の知的コンテンツを受信し、
前記編集手段は前記視聴者の個人情報と前記受信コンテンツの付加情報とに応じて前記複数の受信コンテンツのいずれかを選択する請求項１記載のコンテンツ編集装置。
【請求項８】
前記付加情報は、コンテンツに対する権利、課金情報、コンテンツへのスーパーインポーズ、コンテンツの主要部の特徴量、Ｗｅｂへのポインタ、コンテンツに対する評価情報、セマンティックインデックス、広告情報のいずれかを具備する請求項１記載のコンテンツ編集装置。
【請求項９】
前記個人情報は、年齢、性別、住所、住んでいる地域、趣味、メタ個人情報、位置情報、嗜好情報、期待情報のいずれかを具備する請求項１記載のコンテンツ編集装置。
【請求項１０】
コンピュータに、
コンテンツデータと付加情報とからなる知的コンテンツを受信するステップと、
メモリから読み出した視聴者の個人情報に基づいて前記受信コンテンツの付加情報を書き換えるステップと、
前記ステップで書き換えられた付加情報に基づいて前記受信コンテンツデータを再生するステップと、
を実行させるプログラム。
【請求項１１】
コンピュータに、
コンテンツデータと付加情報とからなる複数の知的コンテンツを受信するステップと、
メモリから読み出した複数の視聴者の個人情報に基づいて前記複数の受信コンテンツのいずれかを選択するステップと、
前記ステップで選択された受信コンテンツを再生するステップと、
を実行させるプログラム。
【請求項１２】
コンピュータに
前記複数の受信コンテンツで前記複数の視聴者の個人情報に関係するイベントが発生したか否かを判定するステップと、
発生したイベントに応じて表示コンテンツを切換えるステップと、
をさらに実行させる請求項１１記載のプログラム。
【請求項１３】
コンピュータに、
コンテンツデータと付加情報とからなる複数の知的コンテンツを受信するステップと、
メモリから読み出した視聴者の個人情報と視聴者の位置情報と、現在時刻に応じて前記複数の受信コンテンツのいずれかを選択するステップと、
前記ステップで選択された受信コンテンツを再生するステップと、
を実行させるプログラム。
【発明の詳細な説明】
【技術分野】
【０００１】
本発明は地上波放送、ＢＳ（放送衛星）／ＣＳ（通信衛星）を利用した衛星放送、ディジタル放送などの放送分野、およびインターネットやイントラネットに代表される通信網を利用したコンテンツ配信分野におけるコンテンツ編集装置に関する。
【背景技術】
【０００２】
従来の放送コンテンツやディジタルコンテンツには、地上波や天上波（ＢＳ／ＣＳ）やディジタル放送を家庭用端末（いわゆるテレビジョン受像機）で受信するようなものや、ＭＰＥＧ圧縮されたディジタル動画像データをストリーミング再生するものがあった。また、これらのコンテンツに対して付加情報を与えるものとして、ストリーミングに関して付加情報や制御情報を与えるＳＭＩＬ（Synchronized Multimedia Integrated Language）や、いわゆる電子番組表といわれるＥＰＧ（Electronic Program Guide）などがあった。
【０００３】
本明細書では、コンテンツとそれに対する付加情報が組みになったものを知的放送コンテンツあるいは知的ディジタルコンテンツと呼称する。また、コンテンツとはリアルタイムに放送、配信されるものだけでなく、端末（のハードディスク等）に蓄積されているコンテンツも含む。
【０００４】
これらのコンテンツは放送というブロードキャスト型あるいはマルチキャスト型の手段によって配信されるため、非常に多くのチャネルで極めて多様なコンテンツが提供されている。そのため、コンテンツの選択が重要になっている。
【０００５】
従来、このようなコンテンツに対して再生するか否かを選択的に決定するプログラマブル選択的放送受信システム、放送装置、受信装置が提案されている（特許文献１参照）。この特許によれば、例えば、利用者は受信した映画コンテンツに暴力描写があった場合に、それを再生するか否かを自動的に判別することが可能である。
【０００６】
また、１つのコンテンツに対する静的なメタ情報だけでなく、時系列に沿った動的な付加情報をつける技術も提案されている。ここでは、試合映像にインデックス情報を付け、例えば野球中継の番組でＡ選手が打席に立つシーンだけを特徴抽出することができる。
【０００７】
また、受信したデータをユーザの意向に沿って自動的に絞り込む情報フィルタリング機能を有するナビゲーション装置も提案されている（特許文献２参照）。さらに、広範囲に放送されるデータ放送の情報から設置位置付近の地域に限定した情報を自動的に選択し表示するデータ放送装置も提案されている（特許文献３参照）。
【０００８】
しかし、放送コンテンツやディジタルコンテンツの爆発的増加に対して、より利用者に特化した付加価値の高いコンテンツが要求されてきている。すなわち、ブロードキャストという万人に公平な非個別的なコンテンツの提供手段に対して、それを受信するユーザは趣味嗜好が極めて多様である。例えば、同じ野球中継でも、人によって試合全部を見たかったり、Ａ選手の打席だけを見たかったり、ホームランのシーンだけをダイジェストで見たかったりすることがある。ところが、現在の技術では、非個別的なコンテンツに対して、個人の嗜好を自動的に反映して再生することが不可能である。また、現状では、受信したコンテンツを柔軟にオーサリング（編集）するための有効な手法が無い。
【０００９】
加えて、社会のユビキタス化に伴い、場所を問わずにコンテンツを亨受して再生することができるようになってきた。しかし、場所に特化したコンテンツの亨受や再生ができない。例えば、東京にいるか福岡にいるかに応じて再生されるコンテンツに差をつけることが出来ない。ユーザの所在を自動認識し、福岡にいれば福岡名産のＣＭを再生したり、逆に、福岡にいながら東京専用のローカル番組を再生したりという需要がある。
【特許文献１】特開２００１−２３０７４０号公報（段落００１８、段落００３１乃至段落００３２）
【特許文献２】特開２００１−３３０４４４号公報（段落００２１、段落００６５乃至段落００７０）
【特許文献３】特開２０００−１６５８２６号公報（）
【発明の開示】
【発明が解決しようとする課題】
【００１０】
このように従来のコンテンツ配信装置には、ブロードキャストされた非個別的なコンテンツを視聴者の嗜好に応じて表示することができない、あるいは受信したコンテンツを柔軟に編集（オーサリング）することができないという欠点がある。
【００１１】
本発明の目的はブロードキャストされた非個別的なコンテンツを視聴者の嗜好に応じて表示することができるコンテンツ編集装置を提供することである。
【００１２】
本発明の他の目的は受信したコンテンツを柔軟に編集（オーサリング）することができるコンテンツ編集装置を提供することである。
【課題を解決するための手段】
【００１３】
上記した課題を解決し目的を達成するために、本発明は以下に示す手段を用いている。
【００１４】
（１）コンテンツデータと付加情報とからなる知的コンテンツを受信する手段と、視聴者の個人情報と前記受信コンテンツの付加情報とに応じて前記受信コンテンツを編集する手段とを具備するコンテンツ編集装置。
【００１５】
（２）コンピュータにコンテンツデータと付加情報とからなる知的コンテンツを受信するステップと、メモリから読み出した視聴者の個人情報に基づいて前記受信コンテンツの付加情報を書き換えるステップと、前記ステップで書き換えられた付加情報に基づいて前記受信コンテンツデータを再生するステップとを実行させるプログラム。
【００１６】
（３）コンピュータに、コンテンツデータと付加情報とからなる複数の知的コンテンツを受信するステップと、メモリから読み出した複数の視聴者の個人情報に基づいて前記複数の受信コンテンツのいずれかを選択するステップと、前記ステップで選択された受信コンテンツを再生するステップとを実行させるプログラム。
【００１７】
（４）コンピュータに、コンテンツデータと付加情報とからなる複数の知的コンテンツを受信するステップと、メモリから読み出した視聴者の個人情報と視聴者の位置情報と、現在時刻に応じて前記複数の受信コンテンツのいずれかを選択するステップと、前記ステップで選択された受信コンテンツを再生するステップとを実行させるプログラム。
【発明の効果】
【００１８】
（１）に記載のコンテンツ編集装置によれば、視聴者の個人情報と付加情報とに応じて受信コンテンツを編集するので、視聴者の個人情報を反映して受信コンテンツを編集することができる。
【００１９】
（２）に記載のプログラムによれば、視聴者の個人情報に基づいて受信コンテンツの付加情報を書き換え、書き換えられた付加情報に基づいて受信コンテンツデータを再生するので、視聴者の嗜好に合った態様でコンテンツを再生することができる。
【００２０】
（３）に記載のプログラムによれば、視聴者の個人情報に基づいて複数の受信コンテンツのいずれかを選択し、選択された受信コンテンツを再生するので、視聴者の嗜好に合ったコンテンツを再生することができる。
【００２１】
（４）に記載のプログラムによれば、視聴者の個人情報と、視聴者の位置情報と、現在時刻に応じて複数の受信コンテンツのいずれかを選択し、選択された受信コンテンツを再生するので、視聴者の嗜好、現在状況に合ったコンテンツを再生することができる。
【発明を実施するための最良の形態】
【００２２】
以下、図面を参照して本発明によるコンテンツ編集装置の実施の形態を説明する。
【００２３】
第１の実施の形態
図１はコンテンツ編集装置の第１の実施の形態を含むシステム全体の基本論理構成を示す。知的コンテンツ１０は、動画データなどのデータそのものを意味するコンテンツデータ１２と、それに対して様々な情報を付帯するための付加情報１４を合わせ持つ。知的コンテンツは放送、ネットワーク通信等によりユーザ側に配信される。放送により配信される知的コンテンツを知的放送コンテンツ、ネットワーク通信により配信されるディジタル化された知的コンテンツを知的ディジタルコンテンツと呼ぶ。
【００２４】
知的コンテンツ１０はユーザ端末（図示せず）側に設けられたスマートオーサリング部１６に入力される。スマートオーサリング部１６は、個人毎情報に基づく第１の編集部１８と位置情報に基づく第２の編集部２０とからなる。個人毎情報記憶・管理部２２が記憶、管理する個人毎設定情報２４は個人毎情報に基づく第１の編集部１８に入力され、位置情報管理部２６がＧＰＳなどの位置情報獲得装置２８から取得し、図示しない記憶部に記憶されている位置情報３０は位置情報に基づく第２の編集部２０に入力される。スマートオーサリング部１６は記憶部から読み出した個人毎設定情報２４、位置情報３０に基づいて知的コンテンツ１０を編集し、編集後コンテンツ３２を生成する。
【００２５】
編集後コンテンツ３２はコンテンツデコード部３４に入力される。コンテンツデコード部３４は編集後コンテンツ３２を解釈し、表示部３６で表示する。なお、個人毎設定情報２４は、ユーザ３８が入力部４０のインタフェースを利用して、個人毎情報管理部２２を経由して編集できる。また、個人毎設定情報２４は他のシステムと連動してデータベースに蓄積可能であり、例えばレンタルＣＤの利用履歴や、オンラインショッピングの購入履歴なども個人毎設定情報２４として蓄積される。このような外部からの個人毎設定情報２４を収集し、生成するために、個人毎情報収集設定装置４２が存在する。個人毎情報収集設定装置４２には視聴者が個人毎情報管理部２２を通じて行う個人毎設定情報２４の作成／編集の状態を監視し、自動的に個人毎設定情報２４を生成する機能を提供するものも含まれる。
【００２６】
付加情報１４に相当する情報の一例を以下に示す。コンテンツの提供者は付加情報１４を充実させることで、付加価値の高いコンテンツを提供できる。
【００２７】
コンテンツに対する権利（アクセス権、著作権）
課金情報（有料、無料、ポイント還元（この番組を見た方には２０ｐサービス！）など）
スーパーインポーズ（字幕、バラエティ番組におけるボケやツッコミの文字表示、ニュース速報（速報から１時間経過後であれば表示しないなど））
特徴量（音、色、動き）
Ｗｅｂへのポインタ（商品購入ページのＵＲＬ、ドラマのオフィシャルホームページのＵＲＬ）
コンテンツに対する評価情報（アーティストの人気ランキング、ドラマの視聴率）
セマンティックインデックス（登場人物、曲目、内容、ハイライト部分の註釈）
広告情報
また、個人毎設定情報２４の一例を以下に示す。ユーザ３８は個人毎設定情報２４を充実させることで、よりパーソナライズされたコンテンツを享受できる。
【００２８】
個人情報（年齢、性別、住所、住んでいる地域、趣味）
メタ個人情報（オンラインショッピングの購入履歴などの履歴データ、ＰＩＭなどのスケジュールや覚え書き（シャンプーを買うというＴｏＤｏとシャンプーのＣＭが連動する））：この情報は他のシステムやオーガナイザから自動的に蓄積される。
【００２９】
位置情報（地理的絶対座標、同じ嗜好を持つ人や友人との相対座標）：ＧＰＳにより自動取得される。
【００３０】
嗜好情報／逆嗜好情報（食べ物や趣味、興味などの嗜好に関する情報、もしくはその逆の情報）：視聴者が生成（入力）する情報であるが、過去の情報を基に自動生成することも考えられる。
【００３１】
期待情報（特定のシーンにおいて、視聴者が見たい／見たくないと考えている視聴対象を指定するための一時的情報）：視聴者が生成（入力）する情報であるが、過去の情報を基に自動生成することも考えられる。
【００３２】
本実施の形態の動作を具体的な視聴例を参照して説明する。具体例として、個人毎設定情報２４に蓄積されているレンタルＣＤの利用履歴とチケットの購入履歴を基に、利用者の興味が高いアーティスト“Ａ”を検出し、音楽バラエティ番組のコンテンツデータ１２とその付加情報１４からアーティスト“Ａ”が登場しているシーンだけを再生する例を図２のフローチャートを参照して説明する。なお、この具体例に特化する場合は、図１の構成から位置情報管理部２６、位置情報獲得装置２８、位置情報３０、位置情報に基づく第２の編集部２０が不要となる。
【００３３】
図３に示すリストＬ１は個人毎設定情報２４の一例であり、仮想言語ＸによるＣＤのレンタル履歴の一部である。この履歴は、２００２年１月１日にアーティスト“Ａ”の曲名“１”のＣＤを、２００２年２月１日にアーティスト“Ａ”の曲名“２”のＣＤとアーティスト“Ｂ”の曲名“３”のＣＤを、２００２年２月１４日にアーティスト“Ａ”の曲名“４”のＣＤをレンタルしていることを示す。この履歴はＣＤレンタルショップに設置された個人毎情報収集設定装置４２から取得される（ステップＳ２）。
【００３４】
図４に示すリストＬ２は個人毎設定情報２４の一例であり、仮想言語Ｘによるライブのチケット購入履歴の一部である。この履歴は、２００２年８月１日にアーティスト“Ａ”の東京でのライブチケットを、２００２年８月２１日にアーティスト“Ａ”の大阪でのライブチケットを、２００２年８月２２日にアーティストＣの大阪でのライブチケットを購入したことを示す履歴である。この履歴はチケット販売会社に設置された個人毎情報収集設定装置４２から取得される（ステップＳ４）。
【００３５】
図５、図６に示すリストＬ３は知的コンテンツ１０に含まれる付加情報１４の一例であり、仮想言語Ｘによる音楽バラエティ番組のコンテンツデータ１２の付加情報１４の一部である。この情報は、コンテンツデータ１２が２００２年８月１日の２０時００分から放送されたテレビ局“Ｘ”の“ミュージックＸ”という番組であることを示し、番組開始から１分経過まではオープニングの出演者紹介で、アーティスト“Ａ”、アーティスト“Ｂ”、アーティスト“Ｃ”が登場することを示す。また、番組開始１分経過後から２分経過まではコマーシャルで、食品会社“Ｐ”の食品“ｘ”のＣＭと、音楽会社“Ｑ”のアーティスト“Ａ”のセカンドアルバムのＣＭであることを示す。また、番組開始２分経過後から１５分経過まではアーティスト“Ａ”のトークが続くことを示す。また、番組開始１５分経過後から２１分経過まではアーティスト“Ａ”の曲名“１”の曲紹介が続くことを示す。また、番組開始２１分経過後から２７分経過まではアーティスト“Ｂ”の曲名“３”の曲紹介が続くことを示す。
【００３６】
個人毎情報管理部２２は蓄積されたリストＬ１やリストＬ２のような個人毎設定情報２４から、アーティスト“Ａ”に対する興味が強いことを音楽バラエティ番組の放送の事前に検出する（ステップＳ６）。スマートオーサリング部１６内の個人毎情報に基づく第１の編集部１８はこの情報とリストＬ３のようなコンテンツの付加情報１３とのマッチングに基づいて、＜ａｒｔｉｓｔ＞〜＜／ａｒｔｉｓｔ＞で指定された部分にアーティスト“Ａ”を含まないものに対してマスキングを行なう（ステップＳ８）。マスキングされた結果の付加情報を図７、図８のリストＬ４に示す。
【００３７】
スマートオーサリング部１６から出力された編集後コンテンツ３２はコンテンツデータ１２とリストＬ４に示す付加情報１４からなる。コンテンツデコード部３４はリストＬ４に示す付加情報１４を基にｓｔａｔｕｓが“ｉｇｎｏｒｅ”で指定されていないｐａｒｔ部分だけをデコードし（ステップＳ１０）、表示部３６で表示させる（ステップＳ１２）。この結果、利用者は音楽バラエティ番組のコンテンツデータ１２の中のアーティスト“Ａ”が登場している部分だけを閲覧できる。
【００３８】
このように第１の実施の形態によれば、個人毎設定情報２４に基づいて視聴者の嗜好（好みのアーティスト）を自動的に検出でき、それに応じて知的コンテンツ１０の付加情報を修正し、付加情報に応じてコンテンツをデコードすることにより、視聴者の嗜好に合ったシーンのみを視聴者に呈示することができる。なお、コンテンツはリアルタイムの番組に限らず、蓄積された番組でも良い。
【００３９】
以下、本発明によるコンテンツ編集装置の他の実施の形態を説明する。他の実施の形態の説明において第１の実施の形態と同一部分は同一参照数字を付してその詳細な説明は省略する。
【００４０】
第２の実施の形態
第２の実施の形態のブロック図を図９に示す。第２の実施の形態は複数の視聴者が同じ部屋で１つのテレビを見ている場合のオーサリングに関する。放送局６０から複数の、例えば５チャネルのディジタル放送波（５つのコンテンツ）６２が放送されている。テレビジョン受像機６４は受信部６６で受信したディジタル放送波６２をスマートオーサリング部１６Ｂに入力する。スマートオーサリング部１６Ｂは個人毎情報に基づく第１の編集部１８のみを有する。スマートオーサリング部１６Ｂにチャネル設定部６８が接続されている。第１の実施の形態ではスマートオーサリング部１６はコンテンツデータ１２はそのまま出力し、付加情報１４を編集したが、第２の実施の形態ではスマートオーサリング部１６Ｂは入力された複数のコンテンツの中から表示すべきコンテンツを選択し、選択したコンテンツのみを編集後コンテンツ３２Ｂとして出力する。そのため、コンテンツデコーダ部３４Ｂは編集後コンテンツ３２Ｂをそのままデコードして、表示部３６に渡す。他は第１の実施の形態と同じである。
【００４１】
３人の視聴者３８ａ（以下、Ａさんと称する）、３８ｂ（以下、Ｂさんと称する）、３８ｃ（以下、Ｃさんと称する）がチャネル１で放送中のサッカーチームＲ対Ｘの試合の放送を視聴している。同時刻で、他のチャネルでサッカーチームＳ対Ｙ、サッカーチームＴ対Ｚの試合も放送されている。現在はサッカーチームＲ対Ｘの試合を視聴しているが、ＡさんとＢさんはサッカーチームＲの熱心なサポータであり、ＣさんはサッカーチームＳの熱心なサポータである。また、現在はシーズンも終盤にさしかかっており、サッカーチームＳとＸは熾烈な首位争いを、サッカーチームＲはＴとさらに熾烈な下部リーグへの降格争いを行っている最中である。Ａさん、Ｂさん、Ｃさんは互いに他のチャネルで放送されているコンテンツも気になってはいるが、視聴中のチャネル１で放送される他グランドの途中経過速報では、リアルタイム性に欠ける。そこで、本実施の形態は、一方のチャネルの試合を視聴しつつも、他チャンネルの試合で得点シーンがあった場合に、即座にチャネルを切換えることができるような、よりリアルタイム性の高いコンテンツの受信を可能とすることを目的とする。
【００４２】
サッカー中継はディジタル放送波６２に載せて放送局６０より送られてくる。放送波６２には複数のチャネルがあり、それぞれのチャネル毎に放送中の番組（知的コンテンツ）が含まれている。サッカー放送を行っているチャネル１〜３で放送されている知的コンテンツはコンテンツデータとしてサッカー中継の映像データを持ち、付加情報としては、放送中の対戦カード（その放送内での静的な情報；この情報の記述例を図１０に示す）やイベント情報（放送中に動的に発生する事象に関する情報；この情報の記述例を図１１に示す）を保持している。
【００４３】
サッカー中継の場合、イベント情報としては、試合開始、前半終了、後半開始、後半終了、試合終了、Ｖゴール（ゴールデンゴール）、得点、選手交代、イエローカード、レッドカードなどの事象の発生時に生成される情報がある。この情報は放送局側が作成するが、人手による場合もあれば、コンテンツからの自動認識などによる場合も考えられる。
【００４４】
ディジタル放送波の情報は、各家庭のテレビジョン受像機６４の受信部６６で受信される。受信された各チャネルの放送データ（知的コンテンツ）はスマートオーサリング部１６Ｂに渡され、スマートオーサリング部１６Ｂでは、渡された全ての知的コンテンツの付加情報と、個人毎情報管理部２２が保持する個人毎設定情報２４やチャネル設定部６８の情報を基に複数のチャネルのコンテンツデータの中から視聴すべきチャネル（コンテンツ）を選択し、選択したコンテンツを編集後コンテンツ３２Ｂとして出力する。選ばれた編集後コンテンツはコンテンツデコード部３４Ｂでデコードされ、表示部３６を通して表示される。３人の視聴者は表示部３６を通して同じ番組を視聴する。
【００４５】
個人毎情報管理部２２ではＡさん、Ｂさん、Ｃさんの嗜好に関する情報を含んでいる個人毎設定情報２４を管理している。個人毎設定情報２４の記述例を図１２に示す。図１２はある視聴者の好みのチームを優先度（priority）順に記述した個人毎設定情報２４の例であり、この個人毎設定情報２４が複数ある場合は、視聴者名に対しても優先度が決められている。個人毎情報管理部２２がこの情報を入手する手法としてはどのような手法を用いても構わない。例えば、各視聴者が各自の個人毎設定情報２４を記録してあるＩＣカードなどの記憶媒体をテレビジョン受像機６４にセットすることによって設定してもよいし、テレビジョン受像機６４に接続されたパーソナルコンピュータやその他のコンソール（入力部４０）から入力してもよいし、個人毎設定情報２４を保持するチップを視聴者の体内に埋め込んでおき、視聴者がテレビジョン受像機６４の設置されている部屋に入ると、その情報を無線で自動的に取得してもよい。さらに、テレビジョン受像機６４の所有者であれば、これまでの視聴履歴を基に個人毎設定情報２４を自動的に収集することもできる。
【００４６】
スマートオーサリング部１６Ｂでは、図１３のフローチャートに示すように、基本的にはチャネル設定部６８で視聴者が設定したチャネル（コンテンツ）を編集後コンテンツ３２Ｂとして選択する（ステップＳ４０）。そして、視聴中のチャネル以外のコンテンツの中で、視聴中の各人が興味を持っている＜Ｓｏｃｃｅｒ＞の放送の＜ＳｕｐｐｏｒｔＴｅａｍ＞の情報とを照らし合わせながら（マッチングをとり）、該当するチームに視聴者が興味を持っているイベントが発生した場合に、その旨を視聴者へ通知する（ステップＳ４２、Ｓ４４）。通知の手段は、自動的にチャネル（視聴中のコンテンツデータ）を切換える場合もあれば（ステップＳ４６）、視聴中のコンテンツは直ぐには変更せずに、字幕や音声などをそれにオーバーラップして通知する場合も考えられる。この通知の手段は何ら限定しない。
【００４７】
第２の実施の形態によれば、複数の視聴者の個人毎設定情報に応じて複数のコンテンツの中からその時々で複数の視聴者の好みに最も合致したコンテンツを自動的に選択することができる。なお、第２の実施の形態は、例えばサッカーチームＲ対Ｘの試合が他のカードより１時間遅れて始まるような場合、最初はサッカーチームＳ対Ｙの試合を視聴し、サッカーチームＲ対Ｘの試合が始まってから、そちらへ自動的にチャネルを切換える、といった使い方への応用も可能である。さらに、付帯情報に司会者や解説者を加えることも考えられ、視聴者のこの解説者の試合は見たくないといった嗜好情報から、そのチャンネルを観ないようにしたり、音声のみ別の内容に変更したり消したりすることも考えられる。音声も多チャンネルになった場合、司会や解説の音声チャネルのみ消し、球場のサラウンド音のみを流すといったことも考えられる。
【００４８】
第３の実施の形態
第３の実施の形態のブロック図を図１４に示す。第３の実施の形態として、視聴者の位置が刻々と変化するカーナビゲーションシステムにおける地域情報、時刻にも基づいたオーサリングを説明する。放送局６０から複数の、例えば３チャネルのディジタル放送波（コンテンツ）６２が放送されている。カーナビゲーション端末８０は受信部６６で受信したディジタル放送波６２をスマートオーサリング部１６Ｃに入力する。スマートオーサリング部１６Ｃは個人毎情報に基づく第１の編集部１８、位置情報に基づく第２の編集部２０に加えて時計８２からの時刻情報に基づく第３の編集部８４を有する。第３の実施の形態でも第２の実施の形態と同様に、スマートオーサリング部１６Ｃは入力された複数のコンテンツの中から表示すべきコンテンツを選択し、選択したコンテンツのみを編集後コンテンツ３２Ｃとして出力する。他は第１の実施の形態と同じである。
【００４９】
ドライバはカーナビゲーションとして表示部３６で地図を表示させながら、福岡市内を走行している。カーナビゲーションは地図表示をさせながらも、バックグランド処理で受信部６６は受信可能なディジタル放送波６２から複数の知的コンテンツの受信を行っている。個人毎情報管理部２２はドライバの嗜好情報を保持しており、その中に食べ物の嗜好としてラーメンが好きなことが記録されている。記述例を図１５に示す。ＧＰＳ等の位置情報獲得装置２８から位置情報３０として、現在走行中の位置（福岡市内）を保持している。また、時計８２より現在の時刻が夜食どきである２４時であることを取得する。走行中、受信部６６は放送中の受信可能なチャネルを受信し続けているが、その中で「福岡（現在位置）の夜（現在時刻）のおいしいラーメン屋」という放送（知的コンテンツ：チャネル２）があることを認識する。このコンテンツの付加情報の記述例を図１６に示す。
【００５０】
この情報とドライバの個人毎設定情報２４（図１５）を照らし合わせ（マッチングをとり）、ドライバ向けに上記コンテンツが放送中であることを通知する。通知手段は、音声で通知する方法や、カーナビの画面にメッセージを出す方法、自動的に当該コンテンツの表示に切換える方法などいくつか考えられ、何ら限定されない。チャネル２の知的コンテンツの付加情報として放送中のコンテンツにおいて紹介中のラーメン屋の情報も記述されている。この情報の記述例を図１７に示す。この付加情報はカーナビ内の位置情報管理部２６で記録され、以後、カーナビの地図上でのポイント表示などに利用できるようになる。さらに、時計８２から現在の時刻を取得し、取得したラーメン屋情報に含まれる営業時間と照らし合わせ、その旨をドライバに通知することができる。通知する手段は音声である場合もあれば、地図上でのアイコン表示の変更などである場合も考えられ、何ら限定されない。
【００５１】
第３の実施の形態によれば、視聴者の嗜好に加えて現在位置、現在時刻に応じたコンテンツを選択するので、動的なオーサリングが可能になる。
【００５２】
なお、この発明は、上記実施の形態そのままに限定されるものではなく、実施段階ではその要旨を逸脱しない範囲で構成要素を変形して具体化できる。また、上記実施の形態に開示されている複数の構成要素の適宜な組み合せにより種々の発明を形成できる。例えば、実施の形態に示される全構成要素から幾つかの構成要素を削除してもよい。更に、異なる実施の形態に亘る構成要素を適宜組み合せてもよい。
【００５３】
また、本発明は、コンピュータに所定の手段を実行させるための、あるいはコンピュータを所定の手段として機能させるための、あるいはコンピュータに所定の機能を実現させるためのプログラムを記録したコンピュータ読取り可能な記録媒体としても実施することもできる。
【図面の簡単な説明】
【００５４】
【図１】本発明の第１の実施の形態のシステム全体の構成を示す図。
【図２】第１の実施の形態の動作を示すフローチャート。
【図３】ＣＤレンタル履歴を示す個人毎設定情報の一例を示す図。
【図４】チケットの購入履歴を示す個人毎設定情報の一例を示す図。
【図５】音楽番組の付加情報の一例を示す図。
【図６】音楽番組の付加情報の一例を示す図。
【図７】編集後コンテンツの付加情報を示す図。
【図８】編集後コンテンツの付加情報を示す図。
【図９】本発明の第２の実施の形態のシステム全体の構成を示す図。
【図１０】対戦カードを示す付加情報の一例を示す図。
【図１１】イベント情報を示す付加情報の一例を示す図。
【図１２】個人毎設定情報の一例を示す図。
【図１３】第２の実施の形態の動作を示すフローチャート。
【図１４】本発明の第３の実施の形態のシステム全体の構成を示す図。
【図１５】個人毎設定情報の一例を示す図。
【図１６】付加情報の一例を示す図。
【図１７】付加情報の一部のラーメン屋情報の一例を示す図。
【符号の説明】
【００５５】
１０…知的コンテンツ、１２…コンテンツデータ、１４…付加情報、１６…スマートオーサリング部、１８…個人毎情報に基づく編集部、２０…位置情報に基づく編集部、２２…個人毎情報管理部、２４…個人毎設定情報、２６…位置情報管理部、２８…位置情報獲得装置、３０…位置情報、３２…編集後コンテンツ、３４…コンテンツデコーダ部、３６…表示部、４０…入力部、４２…個人毎情報収集設定装置。
【図１】
2005086542.tif 000003
【図２】
2005086542.tif 000004
【図３】
2005086542.tif 000005
【図４】
2005086542.tif 000006
【図５】
2005086542.tif 000007
【図６】
2005086542.tif 000008
【図７】
2005086542.tif 000009
【図８】
2005086542.tif 000010
【図９】
2005086542.tif 000011
【図１０】
2005086542.tif 000012
【図１１】
2005086542.tif 000013
【図１２】
2005086542.tif 000014
【図１３】
2005086542.tif 000015
【図１４】
2005086542.tif 000016
【図１５】
2005086542.tif 000017
【図１６】
2005086542.tif 000018
【図１７】
2005086542.tif 000019